(57)【特許請求の範囲】
【請求項１】
筆記具により記入できる筆記用領域を有するカードにおいて、
前記カードは、白色からなるカード基材上に印刷層と透明保護層とがこの順に積層されてなるカードであって、
前記印刷層を前記筆記用領域に対応する領域を除いた領域のみに設けることにより、カード表面に白色の無地を目視できる状態の筆記領域を形成したこと、
を特徴とする追記可能な筆記用領域を有するカード。
【発明の詳細な説明】
【０００１】
【発明の属する技術分野】
本発明は、サインなどの筆記具による記入を行うことができる追記可能な筆記用領域を有するカードに関する。
【０００２】
従来、図８に示すように、クレジットカードやキャッシュカードなどの従来のプラスチックカード２０には、一般的にカード使用者の名前などを記入するための領域として、所謂サインパネルやシルクパネル等の筆記用パネル２１が設けられている場合が多く、この筆記用パネル２１上に筆記により記入事項２２を表示していた。
従来、この筆記用パネル２１のうち、サインパネルは、カード基材上の一部の領域にサインパネル用のシート部材を貼り付け、またシルクパネルは、カード基材上の一部の領域に白色のインキによりシルクスクリーン印刷により設けるなどしていた。
【０００３】
しかしながら、上記のサインパネルやシルクパネルをカード基材上に設けた場合には、いずれにしてもカードの表面の一部が凸状となり、カード表面の平滑性が失われる。このため、カードの表面に直接印字を行うダイレクト方式のプリンタに対しては、印字エリアに制限が発生したり、またサーマルヘッドへの悪影響などのマイナス面があり問題である。
【０００４】
更に、今後主流となる再転写による全面プリントに対しては、パネルにもインクや再転写層がのってしまう為に、筆記適性が悪くなるという問題がある。
また、カードの表面の一部が凸状となるために、この凸状の部分が擦れたり、他の物に引っかかったりすることで、カード基材上からサインパネルやシルクパネルが次第に無くなる危険性もあり問題である。
【０００５】
【発明が解決しようとする課題】
本発明は、上記の問題を解決するため、カード表面の平滑性が失われることがなく、筆記用領域とその他の領域との間に段差の生じない追記可能な筆記用領域を有するカードを提供する。
【０００６】
【課題を解決するための手段】
本発明の追記可能な筆記用領域を有するカードは、筆記具により記入できる筆記用領域を有するカードにおいて、前記カードは、白色からなるカード基材上に印刷層と透明保護層とがこの順に積層されてなるカードであって、前記印刷層を前記筆記用領域に対応する領域を除いた領域のみに設けることにより、カード表面に白色の無地を目視できる状態の筆記領域を形成したことを特徴とする。
【０００９】
【発明の実施の形態】
以下、本発明の実施の形態を図面に基づいて詳細に説明する。
図１は、本発明の追記可能な筆記用領域を有するカードに係る実施形態の斜視図、図２は、図１のＡ−Ａ線断面図、図３は、本発明の製造方法に使用する熱転写用シートの断面図、図４は、本発明の製造方法において、熱転写用シートをカード基材に重ねる前の状態を示す断面図、図５は、本発明の製造方法において、熱転写用シートとカード基材を重ねた状態を示す断面図、図６は、本発明の製造方法において、熱転写用シートとカード基材を重ね加熱加圧した後、熱転写用シートの支持体シートだけを剥離した状態を示す断面図、図７は、本発明の追記可能な筆記用領域を有するカードの筆記用領域上に保護シートを貼付した状態を示す斜視図、図８は、従来の筆記用パネルを有するカードの斜視図である。
【００１０】
本発明の追記可能な筆記用領域を有するカード１は、図１，図２に示すように、カード基材２の少なくとも一方の表面上において、追記可能な筆記用領域３となる領域部分だけを除いた他の領域に対して、絵柄などからなる印刷層４が形成され、更に印刷層４上及び印刷層４が設けられていない追記可能な筆記用領域３上に透明保護層５が積層されている。
また、カード基材２と印刷層４とは、接着剤層６により接着されている。
そして、追記可能な筆記用領域３に、筆記具により記入事項７を書込み表示することで、記入事項７が書き込まれた部分の下面側が印刷されていないので、記入事項７を明確に表示することができるようにしてある。
【００１１】
カード基材２としては、特に制限はないが、具体的にはポリ塩化ビニル樹脂、酢酸ビニル樹脂、塩化ビニル−酢酸ビニル共重合体樹脂、ブタジエン樹脂、アクリルニトリル−ブタジエン−スチレン共重合体樹脂、ポリカーボネート樹脂、ポリアミド系樹脂、セルロース系樹脂、ポリエステル、ポリエチレン、ポリプロピレンなどのポリオレフィン、ポリビニールアルコール、アクリル樹脂、ポリメタクリル酸メチル樹脂、スチレン樹脂、ウレタン樹脂、フッ素樹脂またはこれらの混合物などの合成樹脂を挙げることができる。
【００１２】
そして、このカード基材は、白色であることが特に好ましく、カード基材を白色とすることで、追記可能な筆記用領域３上にサインなどの記入を行った場合に、記入事項が鮮明に表示できる効果がある。
しかしながら、必ずしも白色に限定されるものではなく、筆記具の色との関係において、少なくとも記入事項が読み取れる色であればよい。
【００１３】
また、カード基材上に形成される印刷層４及び透明保護層５は、熱転写シートを用いた熱転写方式により形成される。
本発明に使用する熱転写シートは、図３に示すように、支持体シート９上に離型層１０、透明保護層５、印刷層４、接着剤層６とが順次積層された構成をしている。
尚、熱転写シート８の構成のうち、支持体シート９上の透明保護層５と印刷層４は必ず必要であるが、離型層１０と接着剤層６については、各層を形成しないでも剥離及び接着可能であれが省略することもできる。
【００１４】
支持体シート９は、転写層に対する剥離性が有り、また被転写面に凹凸が有る場合は更に、凹凸への形状追従性が有るものであれば、従来公知のもので良く特に限定はない。
従って、被転写面が平面或いは二次元的凹凸表面であれば、延伸性が無い紙等を利用する事も可能である。
また、被転写面が三次元的凹凸表面の場合には、少なくとも転写時には延伸性の有る支持体シートを用いる。
【００１５】
延伸性のある支持体シートとしては、例えば、ポリプロピレン、ポリエチレン、ポリメチルペンテン、エチレン−プロピレン共重合体、エチレン−プロピレン−ブテン３元共重合体、オレフィン系熱可塑性エラストマー等のオレフィン樹脂、ポリエチレンテレフタレート、ポリブチレンテレフタレート等の熱可塑性ポリエステル樹脂、塩化ビニル樹脂、ポリアミド樹脂、或いは、ウレタン系熱可塑性エラストマー等のエラストマー等の樹脂からなる、好ましくは低延伸又は無延伸の樹脂フィルム（シート）を用いる。
【００１６】
また、支持体シートはこれらの単層又は異種材料からなる複層構成としても良い。
例えば、被転写面が平面的の場合には、上質紙にポリプロピレンを積層した構成の支持体シートは転写性に優れ且つ安価である点で好ましい支持体シートの一つである。
なお、支持体シートの厚みは、通常は２０〜２００μｍ程度である。
【００１７】
なお、支持体シートには必要に応じ、転写層側に転写層との剥離性を向上させる為、支持体シートの構成要素として離型層１０を設けても良い。
この離型層１０は支持体シートを剥離時に、支持体シートの一部として転写層から剥離除去される。
離型層１０としては、例えば、シリコーン樹脂、メラミン樹脂、ポリアミド樹脂、ウレタン樹脂、ポリオレフィン樹脂、ワックス等の単体又はこれらを含む混合物が用いられる。
【００１８】
また、透明保護層５は、耐摩耗性、耐溶剤性等の表面物性を向上させる為の層である。
透明保護層５は、その樹脂成分に、架橋剤にシランカップリング剤を用いてアクリルポリオールを架橋させる２液硬化型樹脂を使用する。
アクリルポリオールに対する架橋剤としては一般的には、イソシアネート化合物でも使用できるが、本発明ではイソシアネート化合物は使用せずに、シランカップリング剤を架橋剤として使用する。
これによって、熱転写シートを被転写体に積層後、支持体シートを剥離する時の剥離力が適正であり、且つ経時的に変化する事なく一定で安定化する。
【００１９】
上記アクリルポリオールとしては、特に限定は無く、従来公知のものの中から用途、要求物性に応じて選択使用すれば良い。
ポリオールの中でも、アクリルポリオールを使用する事によって、表面物性及び耐候性等に優れた転写品が得られる。
なお、アクリルポリオールは、例えば、（メタ）アクリル酸、（メタ）アクリル酸メチル、（メタ）アクリル酸エチル、（メタ）アクリル酸−ｎ−プロピル、（メタ）アクリル酸イソプロピル、（メタ）アクリル酸−ｎ−ブチル、（メタ）アクリル酸イソブチル、（メタ）アクリル酸オクチル等の（メタ）アクリル酸アルキルエステル等の１種又は２種以上と、（メタ）アクリル酸−２−ヒドロキシエチル、（メタ）アクリル酸−２−ヒドロキシプロピル、（メタ）アクリル酸−２−ヒドロキシ−３−フェノキシプロピル等の水酸基含有のアクリルモノマーを共重合させた、水酸基を複数有するポリオールである。なお、（メタ）アクリル酸とは、アクリル酸又はメタクリル酸の意味である。
【００２０】
上記シランカップリング剤としては、アルコキシ基の他に更に、アミノ基、ビニル基、エポキシ基、メルカプト基、クロル基等を有する公知のシランカップリング剤を使用すれば良い。
例えば、γ−アミノプロピルトリエトキシシラン、γ−メタクリロキシプロピルトリメトキシシラン、γ−メタクリロキシプロピルメチルジメトキシシラン、γ−メタクリロキシプロピルジメチルメトキシシラン、γ−メタクリロキシプロピルトリエトキシシラン、γ−メタクリロキシプロピルジメチルエトキシシラン、γ−アクリロキシプロピルトリメトキシシラン、γ−アクリロキシプロピルメチルジメトキシシラン、γ−アクリロキシプロピルジメチルメトキシシラン、γ−アクリロキシプロピルトリエトキシシラン、γ−アクリロキシプロピルメチルジエトキシシラン、γ−アクリロキシプロピルジメチルエトキシシラン、ビニルトリエトキシシラン、γ−グリシドキシプロピルトリメトキシシラン、γ−メルカプトプロピルトリメトキシシランなどである。
なお、アクリルポリオールに対する架橋剤としてのシランカップリング剤の添加量は、ポリオール１００重量部に対してシランカップリング剤を５〜１５重量部程度である。
【００２１】
なお、透明保護層は、上記アクリルポリオールとシランカップリング剤とからなる２液硬化型樹脂のみで構成しても良いが、必要に応じ適宜、各種添加剤を添加しても良い。
【００２２】
例えば、添加剤として、金属酸化物粒子の充填剤を添加すると、耐摩耗性を大幅に向上させる事が出来る。
充填剤としての金属酸化物粒子は、例えば、アルミニウム、チタニウム、珪素、ジルコニウム、マグネシウム等の金属の酸化物が挙げられる。
具体的には、例えばα−アルミナ等のアルミナ等である。
この様な、金属酸化物粒子は、例えば、平均粒径２〜３μｍで、粒径分布の最小値が０．０１μｍ、最大値が６μｍの範囲に入るものが、良好な耐摩耗性が得られる点で好ましい。
【００２３】
また、金属酸化物粒子の形状は、球形又は球形に近い形状、例えば回転楕円体等が塗工適性が良く（筋などが発生しない）、また熱転写シートが成形される場合に、成形時に透明保護層に亀裂や破断も生じ難く、好ましい。
なお、形状としては、その他、鱗片状、多角形状等の形状のものも使用し得る。また、金属酸化物粒子の添加量は、要求物性により異なるが、上記２液硬化型樹脂１００重量部に対して０．１〜３０重量部程度である。
【００２４】
また、上記金属酸化物粒子以外の添加剤としては、体質顔料等の充填剤、ワックス等の滑剤、紫外線吸収剤、光安定剤、着色剤等の公知の添加剤を適宜用いる。
【００２５】
なお、透明保護層の形成は、グラビア印刷、シルクスクリーン印刷等の印刷法、グラビアコート、ロールコート等の塗工法等の公知の形成法で形成すれば良い。
また、透明保護層の厚みは、用途、要求物性等に応じて適宜厚さとすれば良く、通常は１〜１００μｍ程度で設ける。
【００２６】
また、離型層１０は、必要に応じ適宜設ける。
離型層としては、特に限定は無く従来公知の材料及び方法で形成すれば良い。
例えば、ポリメチル（メタ）アクリレート、ポリブチル（メタ）アクリレート、メチル（メタ）アクリレート−ブチル（メタ）アクリレート共重合体等のアクリル樹脂、塩化ビニル−酢酸ビニル共重合体、セルロース系樹脂等の単独又は混合物が挙げられる。
離型層は上記した透明保護層同様の公知の形成方法で形成すれば良い。
なお、離型層は、表面保護が目的では無い為に、厚みは薄い方が良く、例えば０．１〜４μｍ程度とする。厚過ぎると、その下の透明保護層の効果が低下する。
【００２７】
印刷層４は、グラビア印刷、シルクスクリーン印刷、オフセット印刷等の従来公知の印刷等による形成方法及び材料で絵柄などを形成した層である。
この印刷層４には、熱転写シート８を用いてカード基材上に透明保護層５と印刷層４を転写した際に、カード基材に追記可能な筆記用領域３を設ける領域に対応する領域の部分だけ、印刷層を設けない領域部分１１を備えるようにしてある。
これにより、熱転写シート８を用いてカード基材上に透明保護層５と印刷層４を転写した場合でも、外部からカード基材２の表面を目視できる。
印刷層形成用のインキ（又は塗液）は、一般的なインキ（又は塗液）同様に、バインダー等からなるビヒクル、顔料や染料等の着色剤、これに適宜加える各種添加剤からなる。
【００２８】
バインダーに用いる樹脂は、例えば、アクリル樹脂、塩化ビニル−酢酸ビニル共重合体、ポリエステル樹脂、セルロース系樹脂、ポリウレタン樹脂等の単体又はこれらを含む混合物を用いる。
着色剤としては、チタン白、カーボンブラック、弁柄、黄鉛、群青等の無機顔料、アニリンブラック、キナクリドン、イソインドリノン、フタロシアニンブルー等の有機顔料、二酸化チタン被覆雲母の箔粉等の光輝性顔料、或いは、その他染料等を用いる。
【００２９】
接着剤層６は、転写層を被転写体に転移、接着させるための層で、従来公知の熱可塑性樹脂、硬化性樹脂等を用いれば良い。
例えば、酢酸ビニル樹脂、塩化ビニル−酢酸ビニル共重合体、アクリル樹脂、熱可塑性ポリエステル樹脂、ポリアミド樹脂、アイオノマー、塩素化ポリオレフィン等の熱可塑性樹脂、或いは、フェノール樹脂、ブロックイソシアネート硬化型ウレタン樹脂等の熱硬化性樹脂等を１種又は２種以上の混合物として用いる。
【００３０】
接着剤層６は、上記樹脂からなるインキ（又は塗液）をグラビア印刷（又はロールコート）等の公知の印刷法（又は塗工法）等で形成すれば良い。
接着剤層６の厚さは特に制限は無いが、通常は１〜１００μｍ程度である。
なお、バインダー樹脂自体が、被転写体との接着力が十分であり、且つ全面に形成されている場合には、接着剤層は省略し得る。
【００３１】
次に、本発明の追記可能な筆記用領域を有するカードの製造方法について、図３乃至図６に基づいて説明する。
まず、図３に示すような、あらかじめ透明保護層５上に筆記用領域を残して設けた印刷層４を有する熱転写シート８を用意する。
そして、この熱転写シート８の接着剤層６側を、図４に示すように、カード基材２の表面に重ねる。
【００３２】
次に、図５に示すように、熱転写シート８の支持体シート９上から熱圧を加えた後、図６に示すように、支持体シート９を離型剤層１０により透明保護層５から剥離して、カード基材２上に印刷層４と透明保護層５を積層させる。
【００３３】
このようにして作製した追記可能な筆記用領域を有するカード１は、図１に示すように、熱転写シート８の印刷層４が形成されていない領域に対応した転写領域において、外部から印刷されていないカード基材面の白色の無地を目視できる状態で形成される。
したがって、このカード基材上の印刷層が設けられていない領域の透明保護層上に、追記情報としてカード使用者のサインなどを例えば油性の筆記具で書き込むことで、その記入事項を明瞭に表示させることができる。
更に、この記入事項の改ざん防止として、図７に示すように、必要に応じて改ざん防止用シール１２を貼付させておくことが好ましい。
【００３４】
【発明の効果】
以上説明したように、本発明の追記可能な筆記用領域を有するカードは、カード基材の全面を透明保護層で覆っているので、カード表面の平滑性が失われることがなく、また筆記用領域とその他の領域との間に段差が生じないので、カードの表面に直接印字を行うダイレクト方式のプリンタに対する適性もあり、またサーマルヘッドへの悪影響が無いという効果がある。
【００３５】
また、カード毎にそれぞれ異なる領域に追記可能な筆記用領域を有するカードを簡単に作製することができるという効果がある。
【図面の簡単な説明】
【図１】本発明の追記可能な筆記用領域を有するカードに係る実施形態の斜視図である。
【図２】図１のＡ−Ａ線断面図である。
【図３】本発明の製造方法に使用する熱転写用シートの断面図である。
【図４】本発明の製造方法において、熱転写用シートをカード基材に重ねる前の状態を示す断面図である。
【図５】本発明の製造方法において、熱転写用シートとカード基材を重ねた状態を示す断面図である。
【図６】本発明の製造方法において、熱転写用シートとカード基材を重ね加熱加圧した後、熱転写用シートの支持体シートだけを剥離した状態を示す断面図である。
【図７】本発明の追記可能な筆記用領域を有するカードの筆記用領域上に保護シートを貼付した状態を示す斜視図である。
【図８】従来の筆記用パネルを有するカードの斜視図である。
【符号の説明】
１  本発明の追記可能な筆記用領域を有するカード
２  カード基材
３  追記可能な筆記用領域
４  印刷層
５  透明保護層
６  接着剤層
７，２２  記入事項
８  熱転写シート
９  支持体シート
１０  離型層
１１  印刷層を設けない領域部分
１２  改ざん防止用シール
２０  従来のプラスチックカード
２１  筆記用パネル
【図１】
0004826024.tif 000002
【図２】
0004826024.tif 000003
【図３】
0004826024.tif 000004
【図４】
0004826024.tif 000005
【図５】
0004826024.tif 000006
【図６】
0004826024.tif 000007
【図７】
0004826024.tif 000008
【図８】
0004826024.tif 000009